(57)【要約】【課題】複数の画像伝送によって生ずる誤配列がなく、セキュリティの高い高精細画像を表示出来る画像伝送方法を提供する。【解決手段】入力する１つの画像をライン画像データ毎に複数分割する分割手段１１と、分割手段１１で分割された複数のライン画像データをこの先端が面一になるように並び替えを行う並び替え回路１００と、複数のライン画像データの先端にアドレスを付加する補助データ付加回路１０１と、アドレスが付加された複数のライン画像データをスクランブルするスクランブル処理回路１０４と、スクランブルされた複数のライン画像データを伝送する伝送手段１３とを有する画像伝送装置１を用いた画像伝送方法において、スクランブルは、アドレスが付加された複数のライン画像データ間でスクランブルを行って、新たな複数のラインの画像データとする画像伝送方法である。【選択図】      図１
2006005707.tif 000002
【特許請求の範囲】
【請求項１】
入力する１つの画像をライン画像データ毎に複数分割する分割手段と、前記分割手段で分割された複数のライン画像データをこの先端が面一になるように並び替えを行う並び替え回路と、前記複数のライン画像データの先端にアドレスを付加する補助データ付加回路と、前記アドレスが付加された前記複数のライン画像データをスクランブルするスクランブル処理回路と、前記スクランブルされた前記複数のライン画像データを伝送する伝送手段とを有する画像伝送装置を用いた画像伝送方法において、
前記スクランブルは、前記アドレスが付加された前記複数のライン画像データ間でスクランブルを行って、新たな複数のラインの画像データとすることを特徴とする画像伝送方法。
【発明の詳細な説明】
【技術分野】
【０００１】
本発明は、例えばハイビジョン(以下ＨＤＴＶと称する)画像の画素数（縦１０８０画素×横１９２０画素）以上の画素数を持つ高解像度画像を、複数のＨＤＴＶ画像として伝送する際に、スクランブルをかけてセキュリティを向上させる画像伝送方法に関する。
【背景技術】
【０００２】
従来、ＨＤＴＶの３倍の画素数を有する画像の画像データを出力する超高精細撮像装置において、図６に示すように、出力する際に１枚の画像を３つに分割してＨＤＴＶ規格による出力信号を表示装置側に伝送していた。この場合、３本のＨＤＴＶ用ビデオケーブルが必要になる。
【０００３】
この３本のＨＤＴＶ用ビデオケーブルで伝送された画像データを表示装置に表示する際に、伝送された受信側では、画面分割された画像データを１枚の画像として正しい順番で表示するように、３本のＨＤＴＶ用ビデオケーブルの順番を合わせて管理をしていた。
このＨＤＴＶ用ビデオケーブルの順番の管理方法として、例えば、ＨＤＴＶ用ビデオケーブルの送信端と受信端に番号札をつけたり、ケーブルの色を順番で定めたりして管理してきた。
【０００４】
そして、伝送する画像のセキュリティを高めるために、従来は「特許文献１」に記載されているように、１つの画像をブロック単位に分割し、このブロックの配置位置に対してスクランブルをかけていた。
【特許文献１】特願２００２−７７５６８号広報
【発明の開示】
【発明が解決しようとする課題】
【０００５】
しかしながら、上述したようなビデオケーブルの順番を合わせる方法では、３本のＨＤＴＶ用ビデオケーブル配列の順番を示す番号札が剥がれたり、送信側と受信側の接続者の順番に認識の違いがあったり等が原因で番号を逆に繋いでしまうと言う問題点がある。特に各画像データにスクランブルをかけてセキュリティを高めた画像では、受信側でのスクランブルに対する対応がそれぞれの画像によって異なるため、そのままでは画像の表示確認も困難となり画像データの伝送に支障をきたすという問題点が有った。
【０００６】
そこで本発明は、上記のような問題点を解消するためになされたもので、複数の画像データ伝送時の誤配列によって生ずる問題点を解決し、かつセキュリティの高い高精細画像を表示出来る画像伝送方法を提供する。
【課題を解決するための手段】
【０００７】
上記目的を達成するための手段として、本発明に係る画像伝送方法においては、入力する１つの画像をライン画像データ毎に複数分割する分割手段と、前記分割手段で分割された複数のライン画像データをこの先端が面一になるように並び替えを行う並び替え回路と、前記複数のライン画像データの先端にアドレスを付加する補助データ付加回路と、前記アドレスが付加された前記複数のライン画像データをスクランブルするスクランブル処理回路と、前記スクランブルされた前記複数のライン画像データを伝送する伝送手段とを有する画像伝送装置を用いた画像伝送方法において、前記スクランブルは、前記アドレスが付加された前記複数のライン画像データ間でスクランブルを行って、新たな複数のラインの画像データとすることを特徴とする画像伝送方法を提供するものである。
【発明の効果】
【０００８】
本発明のような複数の画像データを伝送する画像伝送方法によれば、送信側と受信側でビデオケーブルの配列順序が異なったり、この複数の画像データを遠隔伝送する際に使用する光伝送や無線伝送の多重伝送の変調機と復調機のチャンネルの順番に相関がなかったりしても、スクランブルのかかったセキュリティの高い複数に分割された画像データを、正しい順番で表示することが出来る効果がある。
【発明を実施するための最良の形態】
【０００９】
以下、本発明の実施形態につき、好ましい実施例により、図１〜図５を用いて説明する。
図１は本発明の実施形態に係る画像伝送表示システムの概要を示す図である。図２は画像発生装置1における画像配列変更手段１２の詳細を示す図である。図３は画像データに付加される補助データのパケット構造を示す図であり、（Ａ）は分割した画像データの垂直配列を1つに合成した場合のデータ配列を示す図であり、（Ｂ）は分割した画像データ毎のデータ配列を示す図である。図４は画像表示装置３における画像配列復元手段１５の詳細を示す図である。図５は画像データの配列経過を示す図であり、（Ａ）は1つの画像を水平方向に３つに分割した場合と、３つの画像を合成表示する場合を示す図であり、（Ｂ）は（Ａ）の配列を垂直方向に並び替えた図であり、（Ｃ）は（Ｂ）の垂直配列を３つに分割した図である。
【００１０】
まず、図１に示すように、本発明の実施形態における画像伝送方法は、入力する１つの画像をライン画像データ毎に複数分割する分割手段１１と、分割手段１１で分割された複数のライン画像データをこの先端が面一になるように画像配列変更手段１２における並び替えを行う並び替え回路１００と、複数のライン画像データの先端にアドレスを付加する補助データ付加回路１０３と、アドレスが付加された複数のライン画像データをスクランブルするスクランブル処理回路１０４と、スクランブルされた複数のライン画像データを伝送する伝送手段１３とを有する画像伝送装置１を用いた画像伝送方法において、スクランブルは、アドレスが付加された複数のライン画像データ間でスクランブルを行って、新たな複数のラインの画像データとするものである。
【００１１】
次に、本発明の実施形態における画像伝送方法をさらに詳細に説明する。この画像伝送方法に用いる画像伝送装置１は撮像手段１０、分割手段１１、画像配列変更手段１２、伝送手段１３より、画像表示装置３は受信手段１４、画像配列復元手段１５、表示手段１６より構成している。
【００１２】
まず、画像伝送装置１では、水平方向に５７６０画素、垂直方向に１０８０画素の画素数を持つ撮像素子を有する撮像手段１０から、図示していない被写体光像を１枚の画像として撮像し１つの画像データＰ０に変換して出力する。次に画像データＰ０を分割手段１１に入力しＨＤＴＶの規格（放送技術開発協議会（ＢＴＡ：Ｂｒｏａｄｃａｓｔｉｎｇ  Ｔｅｃｈｎｏｌｏｇｙ  Ａｓｓｏｃｉａｔｉｏｎ））で定められているＢＴＡＳ−００２Ｂ規格に基づくデジタル直列信号(以下ＳＤＩと称する)に準拠した３つの画像(水平方向１９１０画素ｘ垂直方向１０８０画素ｘ３組)を構成するＳＤＩからなる画像データＳ０ａ，Ｓ０ｂ，Ｓ０ｃに分割する。
【００１３】
そして、この３つに分割した画像データＳ０ａ，Ｓ０ｂ，Ｓ０ｃを画像配列変更手段１２に入力する。図２に示すように、画像配列変更手段１２ではまず画像データＳ０ａ，Ｓ０ｂ，Ｓ０ｃを画像データ記憶回路１００に記憶する。そして図５（Ｂ）に示すように３つの画像データＳ０ａ（Ａ），Ｓ０ｂ（Ｂ），Ｓ０ｃ（Ｃ）を垂直方向の１つに並び替えた画像データＳａｌｌとする。
【００１４】
一方、複数種類用意された乱数表から１つの乱数表Ｎｏ．のＲｎを選定し、補助データ生成回路１０３に入力する。Ｒｎは乱数発生回路１０２にも入力されＲｎに基づく乱数表から画像データＳａｌｌ用のラインアドレス数分の乱数Ｌａｄを発生し補助データ生成回路１０３に入力する。
【００１５】
補助データ生成回路１０３では乱数ＬａｄとＲｎから補助データＤｓを生成し、補助データ付加回路１０１に送る。補助データ付加回路１０１では画像データＳａｌｌのラインごとに補助データＤｓを付加した画像データＳａｌｌ‘を得る。次にこの画像データＳａｌｌ‘をスクランブル処理回路１０４でライン画像データ間における任意の画像データ並び替えによるスクランブルを行った後、図５（Ｃ）に示すように３つのＨＤＴＶ画像データＳ１ａ（Ａ‘），Ｓ１ｂ（Ｂ‘），Ｓ１ｃ（Ｃ‘）に分割する。
【００１６】
この分割した３つのＨＤＴＶ画像データＳ１ａ，Ｓ１ｂ，Ｓ１ｃを伝送手段１３に入力し伝送データＳ２ａ，Ｓ２ｂ，Ｓ２ｃとして伝送路２に送る。
そして画像表示装置３の受信手段１４で伝送データＳ２ａ，Ｓ２ｂ，Ｓ２ｃを受信し画像データＳ３ａ，Ｓ３ｂ，Ｓ３ｃに戻した後画像配列復元手段１５に加える。
【００１７】
画像配列復元手段１５は図４に示されるように画像データ記憶回路２００、補助データ読み取り回路２０１、逆乱数発生回路２０２、読み出しアドレス発生回路２０３、画像データ整列回路２０４、画像データ分割回路２０４から構成されており、画像データＳ３ａ，Ｓ３ｂ，Ｓ３ｃはまず画像データ記憶回路２００において記憶された後１つの画像としてアドレスを並び替えた画像データＲａｌｌ‘として読み出される。
【００１８】
読み出した画像データＲａｌｌ‘を補助データ読み取り回路２０１に入力して画像データＲａｌｌ‘から補助データＤｓを読み取り、補助データＤｓの中から乱数表Ｎｏ．のＲｎを抽出し逆乱数発生回路２０２に加えて逆乱数ＲＬａｄを生成し読み出しアドレス発生回路２０３に加える。
【００１９】
読み出しアドレス発生回路２０３では逆乱数ＲＬａｄから読み出しアドレスＲａｄｄを作成し画像データ整列回路２０４に加える。画像データ整列回路２０４では画像データＲａｌｌ‘を入力し画像データごとに付加されている補助データからラインアドレスに基づく乱数Ｌａｄを読み取り、読み出しアドレスＲａｄｄと一致する配列に画像データＲａｌｌ’を整列して画像データＲａｌｌを得る。
【００２０】
このようにして整列した画像データＲａｌｌは図５（Ｂ）に示すＡ，Ｂ．Ｃの画像の配列順が再現されているから、この画像データＲａｌｌを画像データ分割回路２０５に加えて３つのＨＤＴＶ画像データＳ４ａ，Ｓ４ｂ，Ｓ４ｃの順番に分割して、これを表示手段１６に加えれば１つの画像として合成表示出来る。
【００２１】
従って、画像伝送装置１のスクランブル処理回路１０４によってかけられた任意の画像データ並び替えによるスクランブルの影響は画像データごとに付加されている補助データを読み出すことで容易に回避でき、しかも伝送される分割された３つの画像における１つの画像のみを選択してその画像データをライン毎に並び替えても正しい配列の画像は得られないので、セキュリティの高い画像伝送方法を得ることが出来る。
【００２２】
以上のように、本発明の実施形態によれば、１枚の画像を複数の画像に分割してスクランブルをかけて伝送し、受信側ではこの複数の画像にかかったスクランブルを１枚の画像に戻す際に容易に解除して正しい配列順序の画像に復元出来るので、簡単でセキュリティの高い高精細な画像伝送方法が得られる。
しかも、本発明のような複数の画像データを伝送する画像伝送方法によれば、送信側と受信側でビデオケーブルの配列順序が異なったり、この複数の画像データを遠隔伝送する際に使用する光伝送や無線伝送の多重伝送の変調機と復調機のチャンネルの順番に相関がなかったりとしても、スクランブルのかかった複数の画像と同様に、正しい順番で表示することが出来る。
【図面の簡単な説明】
【００２３】
【図１】本発明の実施形態に係る画像伝送表示システムの概要を示す図である。
【図２】画像発生装置1における画像配列変更手段１２の詳細を示す図である。
【図３】画像データに付加される補助データのパケット構造を示す図であり、（Ａ）は分割した画像データの垂直配列を1つに合成した場合のデータ配列を示す図であり、（Ｂ）は分割した画像データ毎のデータ配列を示す図である。
【図４】画像表示装置３における画像配列復元手段１５の詳細を示す図である。
【図５】画像データの配列経過を示す図であり、（Ａ）は1つの画像を水平方向に３つに分割した場合と、３つの画像を合成表示する場合を示す図であり、（Ｂ）は（Ａ）の配列を垂直方向に並び替えた図であり、（Ｃ）は（Ｂ）の垂直配列を３つに分割した図である。
【図６】画像データの配列を示す図であり、（Ａ）は1つの画像を示す図であり、（Ｂ）は水平方向に３つに分割した場合を示す図である。
【符号の説明】
【００２４】
１・・・画像伝送装置、２・・・伝送路、３・・・画像表示装置、４・・・記憶装置、
１０・・・撮像手段、１１・・・分割手段、１２・・・画像配列変更手段、１３・・・伝送手段、
１４・・・受信手段、１５・・・画像配列復元手段、１６・・・表示手段、
１００・・・画像データ記憶回路、１０１・・・補助データ付加回路、
１０２・・・乱数発生回路、１０３・・・補助データ生成回路、
１０４・・・スクランブル処理回路、
２００・・・画像データ記憶回路、２０１・・・補助データ読み取り回路、
２０２・・・逆乱数発生回路、２０３・・・読み出しアドレス発生回路、
２０４・・・画像データ整列回路、２０５・・・画像データ分割回路
【図１】
2006005707.tif 000003
【図２】
2006005707.tif 000004
【図３】
2006005707.tif 000005
【図４】
2006005707.tif 000006
【図５】
2006005707.tif 000007
【図６】
2006005707.tif 000008